(57)【特許請求の範囲】
【請求項１】
遊技機の遊技盤に設けられかつ入賞口を有する前記遊技機の可動入賞装置であって、
前記入賞口の上方に設けられて開口位置と閉塞位置との間において各々が可動な一対の可動片と、
前記可動片の各々に係合して前記可動片の前記開口位置と前記閉塞位置とに対応した駆動位置と非駆動位置との間で移動自在な一対の駆動片と、
前記駆動片の各々を前記駆動位置に向けて駆動力を加えて移動せしめる駆動手段と、
前記可動片及び前記駆動片のいずれか一方に接続されて前記駆動片の各々を前記非駆動位置に向けて復帰力を加えるスプリングと、を有し、
前記可動片には、前記復帰力を補助する副復帰力を前記駆動片の各々を前記非駆動位置に向けて加えるウェイト部が設けられていることを特徴とする可動入賞装置。
【請求項２】
打ち出された遊技球が流下する遊技領域を有する遊技盤を備えた遊技機において、前記遊技盤に請求項１に記載の可動入賞装置を設けたことを特徴とする遊技機。
【発明の詳細な説明】
【技術分野】
【０００１】
本発明は、不正行為によって特典を多く得ることが困難な遊技機の可動入賞装置およびこれを備える遊技機に関する。
【背景技術】
【０００２】
パチンコ機に代表される弾球遊技機は、その略中央の遊技盤面上に遊技領域を備えている。遊技領域には、弾球（遊技球とも称する）と衝突して該弾球の運動方向を変化せしめる遊技釘及び風車の他に、チューリップと称される可動入賞装置が設けられている。
【０００３】
可動入賞装置は、弾球が通過し得る入賞口と、弾球が該入賞口を通過したときに入賞信号を生成する入賞検知手段と、該入賞口の近傍において揺動しかつ該入賞口の弾球の通過の難易度を変化させる可動部と、を含んでいる。可動部は離間していて互いに対向する一対の可動片を含んでいる（例えば特許文献１参照）。弾球は、かかる該可動片の間を通って入賞口に到達する。弾球が入賞口を通過すると、遊技機は、賞球を払出すなどの特典を遊技者に付与する。
【０００４】
該可動片は、各々回動軸を有しており、該回動軸の周りに互いに異なる方向に揺動する。遊技機は、該可動片が互いに最も近接して配置されていて弾球が入賞口を通過し難い第１の状態と、該可動片が互いに離間して配置されて弾球が入賞口を通過しやすい第２の状態と、を所定の条件（例えば遊技機が行う抽選結果）に応じて選択的に提供する。ここで、可動部が第１の状態にある場合、該可動片の位置が閉塞位置となっている。また、可動部が第２の状態にある場合、該可動片の位置が開口位置となっている。第２の状態は、第１の状態に比べて特典が得易い状態であることから、遊技者は、第２の状態が提供されることを望んでいる。
【特許文献１】特開２００３−１３５７３７号公報
【発明の開示】
【発明が解決しようとする課題】
【０００５】
ところで、可動入賞装置を有する遊技機においては、特典が多く付与されるように、遊技機を外部から意図的に操作するなどの不正行為（いわゆるゴト行為）が行われる場合がある。可動入賞装置に対する不正行為としては、遊技機の前面に配置された扉枠の隙間などからワイヤー等の異物を侵入させてさらに該異物を可動片に引っ掛けてこれを回動せしめて、第２の状態を意図的に作り出す行為がある。すなわち、外部から異物を挿入して、該可動部を強制的に操作させて、入賞口に弾球が通過し易い状態を作り、弾球を入賞口に通過させて不正に賞球を得ることが行われている。
【０００６】
特に、上記の如き可動入賞装置は、一対の可動片のうちの一方を異物によって回動せしめるとこれに伴って他方が回動する構成であることから、不正行為によって容易に第２の状態となる。かかる不正行為が実施されることによって、結果的に、遊技機の管理者は損害を被るという問題がある。
【０００７】
本発明は上述した問題点を解決するためになされたものであり、不正行為によって特典を多く得ることが困難な遊技機およびこの遊技機の可動入賞装置を提供することを目的としている。
【課題を解決するための手段】
【０００８】
本発明による遊技機の可動入賞装置は、遊技機の遊技盤に設けられかつ入賞口を有する該遊技機の可動入賞装置であって、該入賞口の上方に設けられて開口位置と閉塞位置との間において各々が可動な一対の可動片と、該可動片の各々に係合して該可動片の該開口位置と該閉塞位置とに対応した駆動位置と非駆動位置との間で移動自在な一対の駆動片と、該駆動片の各々を該駆動位置に向けて駆動力を加えて移動せしめる駆動手段と、該可動片及び該駆動片のいずれか一方に接続されて該駆動片の各々を該非駆動位置に向けて復帰力を加えるスプリングと、を有し、該可動片には、該復帰力を補助する副復帰力を該駆動片の各々を該非駆動位置に向けて加えるウェイト部が設けられていることを特徴とする。
【発明を実施するための最良の形態】
【０００９】
以下、本発明による遊技機の制御装置について、添付図面を参照しつつ詳細に説明する。なお、下記実施例は、いわゆる第１種遊技機と称される遊技機について説明しているもののこれに限定されない。
【００１０】
図１に示す如く、遊技機１は、本体基部となる本体枠２と、本体枠２の内部に配設された遊技盤３と、遊技盤３の前面に設けられていて本体枠２に対して開閉自在になっている前面枠４と、を有する。なお、以下説明を簡単にするべく、遊技盤３の遊技領域３ａとされている遊技盤面を正面に据えて見たときを基準にして、前後左右方向および上下方向が定められているものとする。
【００１１】
前面枠４の下方には下扉枠５が設けられている。下扉枠５には、遊技球供給用の供給皿５ａと、遊技球の発射の制御および発射強度を制御するための操作ハンドル６と、が設けられている。操作ハンドル６は、遊技機１の右側部に配置されておりかつ遊技者が握りやすいように突出して設けられている。操作ハンドル６には、所定の角度範囲内で回動自在な打出調整部７が設けられている。打出調整部７は遊技球の球発射装置（図示せず）を駆動せしめる操作スイッチとなっている。
【００１２】
遊技機１の背面側には、遊技機１の各種装置を制御する制御装置、遊技球の球発射装置、遊技領域３ａから排出された遊技球の球回収装置および遊技者に賞球を払いだす球払出装置など（いずれも図示せず）が設けられている。
【００１３】
遊技盤３の略中央には、図柄可変表示領域８ａを含む図柄可変表示装置８が配置されている。図柄可変表示装置８は、液晶ディスプレイ（ＬＣＤ）、陰極線管ディスプレイ（ＣＲＴ）等の画像表示手段であり、遊技機１の演出制御装置（図示せず）によって制御されている。該演出制御装置は、図柄可変表示装置８に表示信号を送出し、図柄可変表示装置８は表示信号に対応した識別図柄を図柄可変表示領域８ａに表示する。識別図柄は、数字、文字等のキャラクターからなり、遊技機１による抽選結果を遊技者に告知する際など遊技機１の遊技状態を示すために使用される。
【００１４】
図柄可変表示装置８の下方には、一般的にスタートチャッカと称される可動入賞装置９が配置されている。可動入賞装置９は、遊技球が通過し得る入賞口（図１中、図示せず）と、該入賞口に遊技球が通過したことを検知する球検知センサ（図１中、図示せず）と、該入賞口の上方に設けられて開口位置と閉塞位置との間において各々が可動な一対の可動片１０と、を含んでいる。該球検知センサは該センサ内を遊技球が通過したときに球検知信号（入賞信号）を生成する入賞検知手段となっている。
【００１５】
該球検知センサは、遊技球の通過を契機として、遊技機１の制御装置（図示せず）に球検知信号（入賞信号）を送出する。該制御装置は、該球検知信号の入力を契機として抽選を行い、図柄可変表示領域８ａに識別図柄を表示して当該抽選結果を遊技者に告知する。また、該制御装置は、該抽選結果に応じて、可動入賞装置９の下方に設けられた入賞装置１１の蓋部１２を開閉する。なお、蓋部１２は入賞装置１１の可動部の一部となっている。
【００１６】
入賞装置１１は、一般的に大入賞口もしくはアタッカーと称されており、蓋部１２が開放されることによって遊技球が通過しうる一般入賞口（図示せず）および特定入賞口（図示せず）を備えている。
【００１７】
該一般入賞口および該特定入賞口は、それぞれ遊技盤３の背面に配置された球回収装置（図示せず）へと遊技球を導く球通路と連通している。また、該一般入賞口および該特定入賞口にはそれぞれ入賞検知手段となる球検知センサ（図示せず）が設けられており、該球検知センサは遊技球の通過を契機として遊技機１の制御装置（図示せず）に球検知信号（入賞信号）を送出する。
【００１８】
遊技球が該特定入賞口を通過したことを該球検知センサ（入賞検知手段）が検知すると、遊技機１は遊技者に有利な特定遊技状態（大当り遊技状態とも言う）を提供するようになっている。ここで特定遊技状態とは遊技機１が短時間に大量の賞球を払い出すチャンスを遊技者に付与している状態をいい、例えば、蓋部１２を複数回にわたって開閉させて遊技球を入賞装置１１内へ導きやすくしている状態をいう。一方、遊技球が該一般入賞口を通過したことを該球検知センサが検知すると、遊技機１は所定数の賞球を遊技者に払い出す。
【００１９】
なお、遊技盤３には、上記の如き可動入賞装置のほかに、振分け機構を備えた入賞装置、遊技球と衝突して遊技球の移動方向を変更せしめる遊技釘（図示せず）および風車（図示せず）など、種々の役物が設けられている。
【００２０】
上記の如き構成の遊技機における可動入賞装置の構成について詳述する。図２に示す如く、可動入賞装置９は、入賞口１３ａを含む球通路部１３と、球通路部１３の一部を構成する孔部１４ａを備えた球検知センサ１４と、一対の可動片１０を含む可動部１５と、を含んでいる。球通路部１３は、入賞口１３ａを通過した遊技球を遊技盤３の背面側に配置された球回収装置（図示せず）に導く球通路１３ｂを有しており、球通路１３ｂは鉛直方向から水平方向に屈曲する屈曲部１３ｃを有していてＬ字状になっている。球検知センサ１４は、鉛直方向に伸長する球通路１３ｂの途中に配置されている。
【００２１】
可動片１０は略三角形の側面を有する柱状体からなり、該側面が遊技盤面に対して略平行になるように配置されている。可動片１０が閉塞位置（図１参照）にある場合において、該側面の鋭角部分が頂部となるように配置されている。なお、可動片１０の底部の近傍には、ウェイト（図２中、図示せず）が配置されている。該ウェイトは、後述する復帰力付与手段となっている。
【００２２】
可動部１５は、可動片１０の他に、通電の有無によって駆動出力部１６を直線的に駆動変位せしめるソレノイド１７と、駆動出力部１６の直線変位を回転変位に変換しかつ一対の可動片１０を駆動せしめる伝達機構１８と、を含む。
【００２３】
ソレノイド１７の駆動出力部１６は、コイルばね１９を貫通しつつコイル部２０内部に挿入されている棒状体であり、コイル部２０から離れた先端部にフランジ部１６ａを有する。コイル部２０は、第１のハウジング２１に保持されている。駆動出力部１６は、ソレノイド１７の通電状態（図２（ｂ）及び図３（ａ））においては、コイルばね１９の付勢に反してコイル部２０内部に引き込まれ、通電解除状態（図３（ｂ））においては、コイルばね１９による付勢により（具体的には、コイルばね１９が駆動出力部１６のフランジ部１６ａを押し出すことにより）、前方側に押し出されるようになっている。なお、かかる通電解除状態において、フランジ部１６ａは、伝達機構１８を収容する第２のハウジングに設けられかつフランジ部１６ａと対向するストッパ２２ａ（図２参照）と当接するようになっている。
【００２４】
伝達機構１８は、駆動出力部１６の直線的な駆動変位を、その駆動出力部１６と連動する一対の駆動片２３を介して、可動片１０の回動変位に変換しつつ可動片１０に伝達する。駆動出力部１６の直線変位を左右一対の駆動片２３の回転変位（駆動出力部１６の移動方向と交差して同軸状に第２のハウジング２２に支持される一対の回動軸２３ａ（図３参照）周りの回動変位）に変換し、その駆動片２３の回転変位をさらに一対の可動片１０の回動変位（ここでは駆動出力部１６の移動方向と略同一の方向を中心軸とする一対の回動部材支持軸１０ａ回りの回動変位）に変換するように伝達機構１８が構成されている。
【００２５】
左右一対の駆動片２３は、図２及び図３に示す如く、各々内側に突出する係合部２３ｂと、駆動片２３の先端でありかつ回動軸２３ａから離れた位置に設けられた作用部２３ｃと、を有している。作用部２３ｃは切欠となっている。作用部２３ｃは、可動片１０から回動部材支持軸１０ａと略平行に突出する突出部１０ｂと係合し、突出部１０ｂは作用部２３ｃの作用を受ける被作用部となっている。突出部１０ｂは第２のハウジング２２に設けられた貫通孔（図示せず）に挿通されており、突出部１０ｂの可動範囲は該貫通孔の形状によって規定されている。なお、係合部２３ｂは、フランジ部１６ａとコイル部２０との間においてこれらに挟まれるように配置されている。
【００２６】
図３（ａ）に示す如く、ソレノイド１７が通電状態にある場合、駆動出力部１６はコイルばね１９の付勢に反してコイル部２０内部に引き込まれ、フランジ部１６ａによって係合部２３ｂが押圧される。係合部２３ｂが押圧されることによって、駆動片２３の作用部２３ｃは回動軸２３ａ周りに回動して上方に配置され、かかる作用部２３ｃの回動に伴って突出部１０ｂが回動部材支持軸１０ａ周りに回動して上方に移動する。その結果、可動片１０は、回動部材支持軸１０ａ周りに回動して、互いに離れた第２の状態が得られる。かかる第２の状態における可動片１０の位置が開口位置となっており、駆動片２３の位置は駆動位置となっている。上記の如く、駆動出力部１６を移動せしめるソレノイド１７は、駆動片２３を駆動位置に向けて同時に駆動力を加えて移動せしめる駆動手段となっている。
【００２７】
ここで、ソレノイド１７は、遊技領域３ａに設けられた所定の入賞部（図示せず）に遊技球が入賞したことを契機として若しくは当該入賞を契機として実施される抽選の結果に応じて通電状態となる。すなわち、可動片１０は、入賞部への遊技球の入賞もしくは抽選結果に応じて、第２の状態となる。
【００２８】
なお、ソレノイド１７が通電状態となって可動片１０が開口位置に配置されると、可動片１０の底部の近傍に配置されたウェイト１０ｃは、可動片１０の回動に伴って上方に移動する。従って、ウェイト１０ｃには位置エネルギーが付与される。
【００２９】
図３（ｂ）に示す如く、ソレノイド１７に通電がない場合、駆動出力部１６はコイルばね１９による付勢により前方側に押し出され、先端側のフランジ部１６ａは、第２のハウジング２２のストッパ２２ａ（図２参照）と当接する。フランジ部１６ａが押し出されることに伴って、駆動片２３の係合部２３ｂはフランジ部１６ａによる支持を失い、駆動片２３は可動状態となる。ここで、可動片１０の底部の近傍に配置されたウェイト１０ｃは、重力に従って回動部材支持軸１０ａ周りに下方に向けて回動し、可動片１０は、回動部材支持軸１０ａ周りに回動する。可動片１０の突出部１０ｂは、これに伴って回動して駆動片２３の作用部２３ｃと係合し、駆動片２３を回動軸２３ａ周りに回動せしめる。その結果、可動片１０が互いに接近した第１の状態が得られる。かかる第１の状態における可動片１０の位置が閉塞位置となっており、駆動片２３の位置は非駆動位置となっている。
【００３０】
上記の如く、ウェイト１０ｃは、駆動片２３の各々を駆動位置から非駆動位置に向けて復帰力を加える復帰力付与手段として作用する。また、一対の駆動片２３は、可動片１０の各々に係合して可動片１０の開口位置と閉塞位置とに対応した駆動位置と非駆動位置との間で移動自在になっている。
【００３１】
上記の如き構成の可動入賞装置において、一対の可動片１０は、フランジ部１６ａの動作に応じて開口位置へ移動する。しかし、フランジ部１６ａの動作によらないで一方の可動片１０を開口位置に移動せしめても、他方の可動片１０はこれに伴って開口位置に移動しない。すなわち、遊技機の外部から挿入されたワイヤー等の異物によって一方の可動片１０を開口位置に移動せしめても、他方の可動片１０は、一方の可動片１０と連動せずに、復帰力付与手段によって閉塞位置に位置したままとなる。換言すれば、異物を用いて一方の可動片１０を開口位置に配置しても、遊技球が入賞口１３ａを通過し易い第２の状態は得られず、第２の状態に比べて遊技球を入賞口１３ａに導くことは困難である。その結果、不正行為によって特典を大量に取得することを困難とすることができる。
【００３２】
また、復帰力付与手段としてウェイトを用いることによれば、閉塞位置に移動せしめるための機械的な機構を可動片１０に取り付ける必要がない故、可動入賞装置の構成を単純にすることができる。
【００３３】
上記した実施例において、ウェイト１０ｃは可動片１０内に配置されているものの、ウェイト１０ｃの位置はかかる位置に限定されない。例えば、ウェイトは、突出部１０ｂに取り付けられても良い。また、ウェイトは、可動片１０が閉塞位置にあるときに互いに対向する面から下方に突出するように設けられても良い。
【００３４】
なお、変形例として、復帰力付与手段は、駆動片２３に個別に復帰力を加えるスプリングとしても良い。スプリングとしては、渦巻バネを用いることができる。図示しないものの、渦巻バネは、駆動片２３の回動軸２３ａが渦巻きの中心を貫通するように配置されており、該バネの端部のうち一方を回動軸２３ａに取り付けて他方を第２のハウジング２２に取り付けて、駆動片２３が駆動位置から非駆動位置に向かうように付勢する。かかる渦巻バネによれば、開口位置にある可動片１０がフランジ部１６ａによって押圧されなくなった場合に、付勢力によって、駆動片２３を強制的に非駆動位置に配置することができる。
【００３５】
また、渦巻バネは、可動片１０の回動部材支持軸１０ａが渦巻きの中心を貫通するように配置されても良い。該渦巻バネは、該バネの端部のうち一方を回動部材支持軸１０ａに取り付けて他方を第２のハウジング２２に取り付けて、可動片１０が開口位置から閉塞位置に向かうように付勢しても良い。この場合において、可動片１０が開口位置から閉塞位置に移動することに伴って、可動部１０の突出部１０ｂ及び駆動片２３の作用部２３ｅが係合して、駆動片２３が駆動位置から非駆動位置に移動する。すなわち、渦巻バネによって駆動片２３に復帰力が加えられる。
【００３６】
以上のように、復帰力付与手段をスプリングとすることによって、開口位置にある可動片１０がフランジ部１６ａによって押圧されなくなった場合に、駆動片２３を付勢力によって強制的に非駆動位置に配置することができる。また、バネによる復帰力によって、可動片１０が強制的に閉塞位置に配置されることから、可動片１０に対する遊技球の衝突によって、可動片１０が閉塞位置から移動することを防止することができる。
【００３７】
なお、復帰力付与手段として、ウェイトおよびスプリングを共に用いても良い。かかる場合、可動片１０を開口位置から閉塞位置に向けて素早くかつ確実に移動させることができる。
【００３８】
上記した実施例において、可動入賞装置は、スタートチャッカとして説明しているもののこれに限定されない。本発明の構成は、遊技盤上に配置されるチューリップ式の可動入賞装置に適用することができる。
【図面の簡単な説明】
【００３９】
【図１】本発明による制御装置を有する遊技機の概略正面図である。
【図２】本発明による制御装置を有する遊技機の可動入賞装置の概略正面図            （ａ）及びＡ-Ａ線断面図（ｂ）である。
【図３】本発明による制御装置を有する遊技機の可動入賞装置の可動部を示          す部分概略斜視図である。
【符号の説明】
【００４０】
１  遊技機
３  遊技盤
８  図柄可変表示装置
８ａ  図柄可変表示領域
９  可動入賞装置
１０  可動片
１０ａ  回動部材支持軸
１０ｂ  突出部
１０ｃ  ウェイト
１１  入賞装置
１２  蓋部
１３  球通路部
１３ａ  入賞口
１３ｂ  球通路
１４  球検知センサ
１５  可動部
１６  駆動出力部
１６ａ  フランジ部
１７  ソレノイド
１８  伝達機構
１９  コイルばね
２０  コイル部
２１  第１のハウジング
２２  第２のハウジング
２３  駆動片
２３ａ  回動軸
２３ｂ  係合部
２３ｃ  作用部
【図１】
0004814664.tif 000002
【図２】
0004814664.tif 000003
【図３】
0004814664.tif 000004